(57)【要約】【課題】農用トラクタのＰＴＯ軸のカバー構成において、このカバーの開閉を容易にし、ミッションケースの後側部とＰＴＯカバーの前側部との間の空間部から泥土などの侵入を防止する。【解決手段】ミッションケース３の後部から後方へ突出するようにＰＴＯ軸１２を軸架し、ミッションケース３の後部にはＰＴＯ軸１２の左右両側部に位置するように設けている左右ブラケット２１，２１にＰＴＯカバー２２の前側上部を左右方向の軸２４，２４で上下揺動自在に軸支し、ＰＴＯカバー２２の上部前側部には閉鎖プレート２３を前側に延出するように取り付け、ミッションケース３の後側面とＰＴＯカバー２２の前側部との間の空間部を閉鎖するように構成する。【選択図】図５
2013247904.tif 000002
【特許請求の範囲】
【請求項１】
機体後方に突出するＰＴＯ軸（１２）を備えたミッションケース（３）の後端上部に左右リフトアーム（９，９）を枢支し、該左右リフトアーム（９，９）を上下揺動する油圧シリンダをミッションケース（３）の後部上側に配設し、該ミッションケース（３）の後部に前記ＰＴＯ軸（１２）の左右両側部に位置するように設けている左右ブラケット（２１，２１）にＰＴＯカバー（２２）の前側部を左右方向の軸（２４，２４）回りに上下揺動自在に軸支し、前記ＰＴＯカバー（２２）の上部前側部には閉鎖プレート（２３）の前側部を前方に延出するように取り付けてミッションケース（３）の後側面とＰＴＯカバー（２２）の前側部との間の空間部（３ａ）を閉鎖するように構成したことを特徴とする農用トラクタのＰＴＯ軸カバー。
【請求項２】
請求項１の発明において、前記ＰＴＯカバー（２２）を上面カバー（２２ａ）と、上面カバー（２２ａ）の左右両側部から下方に折り曲げるように接続している左右側面カバー（２２ｂ，２２ｃ）とで正面視逆Ｕ字型の下方開放状に構成し、前記閉鎖プレート（２３）の上面プレート（２３ａ）を左右横長状で前記ＰＴＯカバー（２２）の上面カバー（２２ａ）と略同幅に構成すると共に、該上面プレート（２３ａ）の左右両側から下方に折曲した左右折曲支持板（２３ｂ，２３ｃ）を接続して正面視逆Ｕ字型に構成し、前記ＰＴＯカバー（２２）の上面カバー（２２ａ）及び左右側面カバー（２２ｂ，２２ｃ）の下側内側面に前記閉鎖プレートの上面カバー（２３ａ）及び左右折曲支持板（２３ｂ，２３ｃ）の上側外側面を嵌合し、前記左右ブラケット（２１，２１）にＰＴＯカバー（２２）と閉鎖プレート（２３）を左右方向の軸（２４，２４）回りに上下揺動自在に軸支したことを特徴とする農用トラクタのＰＴＯ軸カバー。
【請求項３】
請求項１又は請求項２の発明において、前記ＰＴＯカバー（２２）を上方へ揺動したＰＴＯ軸（１２）の開放状態では、ＰＴＯカバー（２２）と一体揺動した前記閉鎖プレート（２３）の前側部が上方揺動位置を規制するストッパの機能を果たし、また、前記ＰＴＯカバー（２２）を下方へ揺動したＰＴＯ軸（１２）の閉鎖状態では前記閉鎖プレート（２３）の後側部が下方揺動位置を規制するストッパの機能を果たすように構成したことを特徴とする農用トラクタのＰＴＯ軸カバー。
【請求項４】
請求項２又は請求項３の発明において、前記ＰＴＯカバー（２２）の上面カバー（２２ａ）を前下がり傾斜状の前側傾斜面（２２ａａ）と後側水平面（２２ａｂ）とで側面視屈折状に構成し、前記閉鎖プレート（２３）の上面カバー（２３ａ）を前下がり傾斜状の前側傾斜面（２３ａａ）と後側水平面（２３ａｂ）とで側面視屈折状に構成し、上面カバー（２２ａ）の前側傾斜面（２２ａａ）、後側水平面（２２ａｂ）の下側面に前側傾斜面（２３ａａ）、後側水平面（２３ａｂ）の上側面を嵌合接合し、前記左右ブラケット（２１，２１）に前記軸（２４，２４）回りに揺動自在に軸支することにより、ＰＴＯカバー（２２）の上面カバー（２２ａ）と閉鎖プレート（２３）が一体的に軸（２４，２４）回りに揺動するように構成したことを特徴とする農用トラクタのＰＴＯ軸カバー。
【請求項５】
請求項１乃至請求項４の発明において、前記左右ブラケット（２１，２１）を前記ＰＴＯ軸（１２）の左右両側に上下方向に沿わせ、且つ、前記ミッションケース（３）の後側面から後方へ突出するように構成し、前記左右ブラケット（２５，２５）の上部に前記ＰＴＯカバー（２２）の前側部を軸（２４，２４）により揺動自在に軸支し、下方に揺動した閉鎖状態におけるＰＴＯカバー（２２）の左右側面カバー（２２ｂ，２２ｃ）の前側端部と左右ブラケット（２１，２１）の後端縁とが接近するように構成したことを特徴とする農用トラクタのＰＴＯ軸カバー。
【発明の詳細な説明】
【技術分野】
【０００１】
本発明は、農用トラクタのＰＴＯ軸カバーに関する。
【背景技術】
【０００２】
野用トラクタにおいて、機体後方に突出するＰＴＯ軸を備えたミッションケースの後端上部に左右一対のリフトアームを枢支し、リフトアームを上下揺動させる左右一対の油圧シリンダをミッションケースの後方に突出するように外装配置し、左右一対の油圧シリンダの機体内側に突出するピンを設けて、このピンにＰＴＯ軸を覆うＰＴＯカバーを上下回動自在に枢支したものは、公知である（特許文献１）。
【先行技術文献】
【特許文献】
【０００３】
【特許文献１】特開平９−１０９７１０号公報
【発明の概要】
【発明が解決しようとする課題】
【０００４】
背景技術の発明は、ミッションケースの後方にＰＴＯカバーを上下回動自在に枢支しＰＴＯ軸を覆うにあたり、ミッションケースの後側面とＰＴＯカバーの前側部との間に空間部が形成されているが、ＰＴＯ軸の左右両側にリフトアーム上下揺動用の左右油圧シリンダをミッションケースの後方に突出するように外装配置し、ＰＴＯカバーと左右油圧シリンダの共同作用により左右両側からの泥などの侵入を防止し、カバー効果を高めるように構成している。
【０００５】
リフトアーム上下揺動用の油圧シリンダをミッションケースの後部上側に配設した農用トラクタに背景技術の前記ＰＴＯカバーを転用すると、ミッションケースの後側面とＰＴＯカバーの前側部との間の空間部から泥土などがＰＴＯ軸に飛散し、カバー効果が不十分となる問題点がある。そこで、本発明はこのような問題点を解決しようとするものである。
【課題を解決するための手段】
【０００６】
本発明はこのような問題点を解決するために次のような技術的手段を講じた。
請求項１の発明は、機体後方に突出するＰＴＯ軸（１２）を備えたミッションケース（３）の後端上部に左右リフトアーム（９，９）を枢支し、該左右リフトアーム（９，９）を上下揺動する油圧シリンダをミッションケース（３）の後部上側に配設し、該ミッションケース（３）の後部に前記ＰＴＯ軸（１２）の左右両側部に位置するように設けている左右ブラケット（２１，２１）にＰＴＯカバー（２２）の前側部を左右方向の軸（２４，２４）回りに上下揺動自在に軸支し、前記ＰＴＯカバー（２２）の上部前側部には閉鎖プレート（２３）の前側部を前方に延出するように取り付けてミッションケース（３）の後側面とＰＴＯカバー（２２）の前側部との間の空間部（３ａ）を閉鎖するように構成したことを特徴とする。
【０００７】
請求項２の発明は、請求項１の発明において、前記ＰＴＯカバー（２２）を上面カバー（２２ａ）と、上面カバー（２２ａ）の左右両側部から下方に折り曲げるように接続している左右側面カバー（２２ｂ，２２ｃ）とで正面視逆Ｕ字型の下方開放状に構成し、前記閉鎖プレート（２３）の上面プレート（２３ａ）を左右横長状で前記ＰＴＯカバー（２２）の上面カバー（２２ａ）と略同幅に構成すると共に、該上面プレート（２３ａ）の左右両側から下方に折曲した左右折曲支持板（２３ｂ，２３ｃ）を接続して正面視逆Ｕ字型に構成し、前記ＰＴＯカバー（２２）の上面カバー（２２ａ）及び左右側面カバー（２２ｂ，２２ｃ）の下側内側面に前記閉鎖プレートの上面カバー（２３ａ）及び左右折曲支持板（２３ｂ，２３ｃ）の上側外側面を嵌合し、前記左右ブラケット（２１，２１）にＰＴＯカバー（２２）と閉鎖プレート（２３）を左右方向の軸（２４，２４）回りに上下揺動自在に軸支したことを特徴とする。
【０００８】
請求項３の発明は、請求項１又は請求項２の発明において、前記ＰＴＯカバー（２２）を上方へ揺動したＰＴＯ軸（１２）の開放状態では、ＰＴＯカバー（２２）と一体揺動した前記閉鎖プレート（２３）の前側部が上方揺動位置を規制するストッパの機能を果たし、また、前記ＰＴＯカバー（２２）を下方へ揺動したＰＴＯ軸（１２）の閉鎖状態では前記閉鎖プレート（２３）の後側部が下方揺動位置を規制するストッパの機能を果たすように構成したことを特徴とする。
【０００９】
請求項４の発明は、請求項２又は請求項３の発明において、前記ＰＴＯカバー（２２）の上面カバー（２２ａ）を前下がり傾斜状の前側傾斜面（２２ａａ）と後側水平面（２２ａｂ）とで側面視屈折状に構成し、前記閉鎖プレート（２３）の上面カバー（２３ａ）を前下がり傾斜状の前側傾斜面（２３ａａ）と後側水平面（２３ａｂ）とで側面視屈折状に構成し、上面カバー（２２ａ）の前側傾斜面（２２ａａ）、後側水平面（２２ａｂ）の下側面に前側傾斜面（２３ａａ）、後側水平面（２３ａｂ）の上側面を嵌合接合し、前記左右ブラケット（２１，２１）に前記軸（２４，２４）回りに揺動自在に軸支することにより、ＰＴＯカバー（２２）の上面カバー（２２ａ）と閉鎖プレート（２３）が一体的に軸（２４，２４）回りに揺動するように構成したことを特徴とする。
【００１０】
請求項５の発明は、請求項１乃至請求項４の発明において、前記左右ブラケット（２１，２１）を前記ＰＴＯ軸（１２）の左右両側に上下方向に沿わせ、且つ、前記ミッションケース（３）の後側面から後方へ突出するように構成し、前記左右ブラケット（２５，２５）の上部に前記ＰＴＯカバー（２２）の前側部を軸（２４，２４）により揺動自在に軸支し、下方に揺動した閉鎖状態におけるＰＴＯカバー（２２）の左右側面カバー（２２ｂ，２２ｃ）の前側端部と左右ブラケット（２１，２１）の後端縁とが接近するように構成したことを特徴とする。
【発明の効果】
【００１１】
請求項１の発明によると、請求項１の発明は、機体後方に突出するＰＴＯ軸（１２）を備えたミッションケース（３）の後端上部に左右リフトアーム（９，９）を枢支し、該左右リフトアーム（９，９）を上下揺動する油圧シリンダをミッションケースの後部上側に配設し、前記ミッションケース（３）の後部に前記ＰＴＯ軸（１２）の左右両側部に位置するように設けている左右ブラケット（２１，２１）にＰＴＯカバー（２２）の前側部を左右方向の軸（２４，２４）回りに上下揺動自在に軸支し、前記ＰＴＯカバー（２２）の上部前側部には閉鎖プレート（２３）の前側部を前方に延出するように取り付けてミッションケース（３）の後側面とＰＴＯカバー（２２）の前側部との間の空間部（３ａ）を閉鎖するように構成したので、ミッションケース（３）の後側面とＰＴＯカバー（２２）の前側部との間の空間部（３ａ）のカバー効果を高めることができる。
【００１２】
請求項２の発明によると、請求項１の発明の前記効果に加えて、前記ＰＴＯカバー（２２）を上面カバー（２２ａ）と、上面カバー（２２ａ）の左右両側部から下方に折り曲げるように接続している左右側面カバー（２２ｂ，２２ｃ）とで正面視逆Ｕ字型の下方開放状に構成し、前記閉鎖プレート（２３）の上面プレート（２３ａ）を左右横長状で前記ＰＴＯカバー（２２）の上面カバー（２２ａ）と略同幅に構成すると共に、該上面プレート（２３ａ）の左右両側から下方に折曲した左右折曲支持板（２３ｂ，２３ｃ）を接続して正面視逆Ｕ字型に構成し、前記ＰＴＯカバー（２２）の上面カバー（２２ａ）及び左右側面カバー（２２ｂ，２２ｃ）の下側内側面に前記閉鎖プレートの上面カバー（２３ａ）及び左右折曲支持板（２３ｂ，２３ｃ）の上側外側面を嵌合し、前記左右ブラケット（２１，２１）にＰＴＯカバー（２２）と閉鎖プレート（２３）を左右方向の軸（２４，２４）回りに上下揺動自在に軸支したので、ＰＴＯカバー（２２）及び閉鎖プレート（２３）の取付構成を簡単化することができる。
【００１３】
請求項３の発明によると、請求項１又は請求項２の発明の前記効果に加えて、ＰＴＯカバー（２２）を上方へ揺動したＰＴＯ軸（１２）の開放状態では、ＰＴＯカバー（２２）と一体揺動した前記閉鎖プレート（２３）の前側部が上方揺動位置を規制するストッパの機能を果たし、また、前記ＰＴＯカバー（２２）を下方へ揺動したＰＴＯ軸（１２）の閉鎖状態では前記閉鎖プレート（２３）の後側部が下方揺動位置を規制するストッパの機能を果たすように構成したので、ＰＴＯカバー（２２）の上方揺動状態及び下方揺動状態を規制することができ、ＰＴＯ軸（１２）周辺のメンテナンス効果を高めることができる。
【００１４】
請求項４の発明によると、請求項２又は請求項３の発明の前記効果に加えて、ＰＴＯカバー（２２）の上面カバー（２２ａ）を前下がり傾斜状の前側傾斜面（２２ａａ）と後側水平面（２２ａｂ）とで側面視屈折状に構成し、前記閉鎖プレート（２３）の上面カバー（２３ａ）を前下がり傾斜状の前側傾斜面（２３ａａ）と後側水平面（２３ａｂ）とで側面視屈折状に構成し、上面カバー（２２ａ）の前側傾斜面（２２ａａ）、後側水平面（２２ａｂ）の下側面に前側傾斜面（２３ａａ）、後側水平面（２３ａｂ）の上側面を嵌合接合し、前記左右ブラケット（２１，２１）に前記軸（２４，２４）回りに揺動自在に軸支することにより、ＰＴＯカバー（２２）の上面カバー（２２ａ）と閉鎖プレート（２３）が一体的に軸（２４，２４）回りに揺動するように構成したので、ＰＴＯカバー（２２）の上面カバー（２２ａ）と閉鎖プレート（２３）との一体構成を簡単化し、コストの低減を図ることができる。
【００１５】
請求項５の発明によると、請求項１乃至請求項４の発明の前記効果に加えて、左右ブラケット（２１，２１）を前記ＰＴＯ軸（１２）の左右両側に上下方向に沿わせ、且つ、前記ミッションケース（３）の後側面から後方へ突出するように構成し、前記左右ブラケット（２５，２５）の上部に前記ＰＴＯカバー（２２）の前側部を軸（２４，２４）により揺動自在に軸支し、下方に揺動した閉鎖状態におけるＰＴＯカバー（２２）の左右側面カバー（２２ｂ，２２ｃ）の前側端部と左右ブラケット（２１，２１）の後端縁とが接近するように構成したので、左右ブラケット（２１，２１）、ＰＴＯカバー（２２）及び閉鎖プレート（２３）の共同作用により泥の左右両側からの侵入を防止しカバー効果を高めることができる。
【図面の簡単な説明】
【００１６】
【図１】トラクタ全体の側面図。
【図２】ＰＴＯ軸及びＰＴＯカバーの側面図。
【図３】ＰＴＯ軸及びＰＴＯカバーの平面図。
【図４】ＰＴＯ軸及びＰＴＯカバーの背面図。
【図５】ＰＴＯ軸及びＰＴＯカバーの側面図。
【図６】ＰＴＯ軸及びＰＴＯカバーの側面図、平面図、背面図。
【図７】ＰＴＯ軸及びＰＴＯカバーの側面図、平面図、背面図。
【図８】ＰＴＯ軸及びＰＴＯカバーの側面図、平面図。
【図９】ＰＴＯ軸及びＰＴＯカバー部の側面図、背面図。
【図１０】ＰＴＯ軸及びＰＴＯカバー部の側面図、背面図。
【図１１】ＰＴＯ軸及びＰＴＯカバー部の側面図、背面図。
【図１２】ＰＴＯ軸及びＰＴＯカバー部の側面図、背面図。
【図１３】ＰＴＯ軸及びＰＴＯカバー部の側面図、背面図、平面図。
【図１４】ＰＴＯ軸及びＰＴＯカバー部の側面図、平面図。
【図１５】ＰＴＯカバー部の側面図。
【図１６】ＰＴＯカバー部の側面図。
【図１７】ＰＴＯカバー部の側面図。
【図１８】ＰＴＯカバー部の側面図、平面図。
【図１９】ＰＴＯカバー部の側面図、平面図。
【図２０】ＰＴＯカバー部の側面図、平面図。
【図２１】ＰＴＯ軸及びＰＴＯカバーの側面図、背面図、平面図、斜視図。
【図２２】ＰＴＯカバー部の側面図、平面図、背面図。
【図２３】ＰＴＯ軸及びＰＴＯカバーの側面図、背面図、平面図、斜視図。
【発明を実施するための形態】
【００１７】
以下、図面に基づいて本発明を農業用トラクタに施した実施例について説明する。
まず、図１に基づき本発明を実施するトラクタの全体構成について説明する。
トラクタは走行車体１の前側部にエンジンＥを搭載し、エンジンＥをボンネット２で被覆し、エンジンＥの回転動力をミッションケース３内の主変速装置及び副変速装置で変速し、左右前輪４，４及び左右後輪５，５へ伝達している。
【００１８】
また、ミッションケース３の後側上部にはシート６を設け、その左右両側に左右フェンダ７，７を設けている。また、ミッションケース３の後側上部には後方へ突出するようにＰＴＯ軸１２を設け、ミッションケース３の後部上面には油圧シリンダケース８を設け、油圧シリンダケース８の後側部にリフトアーム９，９を上下回動自在に軸支し、３点リンク機構（図示省略）を介して連結したロータリ耕耘装置（図示省略）を昇降するように構成している。
【００１９】
また、エンジンＥの後方には、ハンドルフレーム１５を立設し、その上部にステアリングハンドル１６を設けている。走行車体１の後部に後側安全フレーム１７を立設している。
【００２０】
次に、図２乃至図５に基づきミッションケース３後部のＰＴＯ軸１２のカバー構成について説明する。
ミッションケース３の後部にＰＴＯ軸１２を後方へ突出するように軸架し、ミッションケース３の左右両側にはミッションケース３の後側面よりも後方へ突出するように左右ブラケット２１，２１を設け、左右ブラケット２１，２１にＰＴＯカバー２２を左右方向のボルト・ナット２４，２４で上下揺動自在に軸支している。
【００２１】
ＰＴＯカバー２２は上面カバー２２ａと、上面カバー２２ａの左右両側から下方に折り曲げるように接続している左右側面カバー２２ｂ，２２ｃとで正面視逆Ｕ字型の下方及び後方開放状に構成し、ＰＴＯカバー２２の上部前側部を左右方向のボルト・ナット２４，２４で軸支している。
【００２２】
しかして、図５に示すように、ＰＴＯカバー２２をボルト・ナット２４，２４回りに下方へ揺動し上面カバー２２ａを閉鎖状態の水平状にすると、上面カバー２２ａ及び左右側面カバー２２ｂ，２２ｃによりＰＴＯ軸１２全長を上側及び左右両側から被覆している。また、ＰＴＯカバー２２をボルト・ナット２４，２４回りに上方へ揺動し上面カバー２２ａを後上り傾斜の開放状態にすると、上面カバー２２ａがＰＴＯ軸１２の後部上方を開放し、左右側面カバー２２ｂ，２２ｃが後上方に移動しＰＴＯ軸１２の前側部左右両側を開放するようにしている。
【００２３】
また、ＰＴＯカバー２２の前側上部に閉鎖プレート２３を取り付け、ミッションケース３の後側面と上面カバー２２ａの前端との間を閉鎖するようにしている。この閉鎖プレート２３は平面視で左右横長で上面カバー２２ａと略同幅に構成している上面プレート２３ａと、上面プレート２３ａの左右両側に下方に折曲した左右折曲支持板２３ｂ，２３ｃとで正面視略逆Ｕ字型に構成している。
【００２４】
ＰＴＯカバー２２の上面カバー２２ａが下方に揺動した水平の被覆姿勢において、上面カバー２２ａを後上り傾斜状の前側傾斜面２２ａａと、後側水平面部２２ａｂとで構成している。また、閉鎖プレート２３の上側プレート２３ａを後上り傾斜の前側傾斜面２３ａａと後側水平面２３ａｂで構成し、前記前側傾斜面２２ａａ及び後側水平面２２ａｂの下面に嵌合するように構成している。
【００２５】
そして、ＰＴＯカバー２２の上面カバー２２ａの前側水平面２２ａａ、後側水平面２２ａｂの内側下面に閉鎖プレート２３の前側傾斜面２３ａａ、後側水平面２３ａｂの外側上面を接合嵌合している。また、ＰＴＯカバー２２の左右側面カバー２２ｂ，２２ｃの左右内側面に閉鎖プレート２３の左右折曲支持板２３ｂ，２３ｃの外側面を嵌合して、左右ブラケット２１，２１に前記ボルト・ナット２４，２４により共締め軸支し、ＰＴＯカバー２２と閉鎖プレート２３が一体的にボルト・ナット２４，２４回りに揺動するように構成されている。
【００２６】
しかして、ＰＴＯカバー２２を下方に揺動した被覆状態では、ミッションケース３の後側面とＰＴＯカバー２２の前端との間の空間部３ａを閉鎖プレート２３により閉鎖し、閉鎖プレート２３の後側水平面２３ａｂ後端が左右ブラケット２１，２１に当接し、それ以上の揺動を規制するストッパの役割を果たし、ＰＴＯカバー２２の閉鎖状態を保持するようにしている。
【００２７】
また、ＰＴＯカバー２２をボルト・ナット２４，２４回りに上方へ揺動した開放状態にすると、閉鎖プレート２３の前側傾斜面２３ａａ前端が左右ブラケット２１，２１に当接し、それ以上の揺動を規制するストッパの役割を果たし、ＰＴＯカバー２２の開放状態を保持するようにしている。
【００２８】
また、図６のように構成してもよい。ＰＴＯカバー２２を上面カバー２２ａ、左右側面カバー２２ｂ，２２ｃで正面視逆Ｕ字型に構成し、ＰＴＯカバー２２の前側上部をボルト・ナット２４で揺動自在に軸支し、上面カバー２２ａ、左右側面カバー２２ｂ，２２ｃの内側下面に閉鎖プレート２３を前後方向に摺動自在に嵌合し、閉鎖プレート２３の前側部をミッションケース３の後側面にボルト・ナットで固着する。ミッションケース３の後側面とＰＴＯカバー２２の前側部との間の空間部３ａを閉鎖プレート２３で閉鎖した状態で、ＰＴＯカバー２２を上下揺動することができ、カバー効果を高めることができる。
【００２９】
次に、図７について説明する。
ＰＴＯカバー２２を上面カバー２２ａ、左右側面カバー２２ｂ，２２ｃで構成し、左右ブラケット２１，２１をＰＴＯ軸１２の左右両側に上下方向に沿わせ、且つ、ミッションケース３の後側面から後方へ突出するように配設し、左右ブラケット２５，２５の上部にＰＴＯカバー２２の前側上部をボルト・ナット２４，２４で揺動自在に軸支する。そして、ＰＴＯカバー２２が下方に揺動した閉鎖状態において、左右側面カバー２２ｂ，２２ｃの前側端部と左右ブラケット２１，２１の後端部を近接させ、ＰＴＯカバー２２のカバー効果を高めるようにしている。
【００３０】
次に、図８に基づきミッションケース３の後部へのトレーラの連結構成について説明する。
ミッションケース３の後側部にＰＴＯ軸１２及びＰＴＯカバー２２を設けた構成において、ＰＴＯ軸１２の下方に連結ヒッチ３１を後方へ延出して設け、連結ヒッチ３１をＰＴＯ軸１２よりも後方へ突出構成し、連結ヒッチ３１には上下方向のピン孔３１ａをＰＴＯ軸１２の後端部下方に位置するように設け、ピン孔３１ａに連結ピン３２を挿入係止し、連結ピン３２の上端部から後方へ連結アーム３３を延出し、連結アーム３３の後側端部の連結孔３３ａとトレーラ牽引棒３４の連結孔３４ａとにピン３５を挿入連結している。前記構成によると、トレーラ牽引棒３４をＰＴＯ軸１２及びＰＴＯカバー２２の後方に配置できて干渉を回避し、円滑にトレーラ運搬作業をすることができる。
【００３１】
また、図９のように構成してもよい。ミッションケース３の後側部にＰＴＯ軸１２及びＰＴＯカバー２２を設けた構成において、ミッションケース３の後部上部にトップリンクヒッチ４２を後方へ突出するように設け、ミッションケース３の後側下部及び取付プレート４１の下部にヒッチブラケット３６を取り付け、ヒッチブラケット３６に連結ヒッチ３１を後方へ突出するように取り付けている。前記トップリンクヒッチ４２の下側部にＰＴＯカバー２２の上側部を例えば溶接して固着し、ＰＴＯカバー２２の取付構成の簡単化している。
【００３２】
また、図１０のように構成してもよい。ミッションケース３の後側部にＰＴＯ軸１２及びＰＴＯカバー２２を設けた構成において、ミッションケース３の後側下部及び取付プレート４１の下部にヒッチブラケット３６を取り付け、ヒッチブラケット３６にＰＴＯカバー２２を溶接して取り付けてもよい。
【００３３】
ヒッチブラケット３６を上下方向に沿わせた左右縦板体３６ａ，３６ｂ（上側面を後下がり傾斜にしている）と、左右縦板体３６ａ，３６ｂの上端部から左右両側に延出している左右横板体３６ｃ，３６ｄとで構成し、左右縦板体３６ａ，３６ｂを背面視でＰＴＯ軸１２の下部から左右両側に延出するように近接配置している。そして、左右横板体３６ｃ，３６ｄの上側端部にＰＴＯカバー２２の前側下部を溶接し固着し、ＰＴＯカバー２２の大型化と構成の簡素化を図っている。
【００３４】
次に、図１１に基づきＰＴＯカバー２２の共用化構成について説明する。
ミッションケース３の後側面に上方から下方にトップリンクヒッチ４２、ＰＴＯ軸１２及びヒッチブラケット３６を配設した構成において、ヒッチブラケット３６を前記実施例と同様に上下方向に沿った左右縦板体３６ａ，３６ｂと、左右縦板体３６ａ，３６ｂの上端部から左右両側に延出している左右横板体３６ｃ，３６ｄとで構成している。そして、ＰＴＯカバー２２を上面カバー２２ａと、上面カバー２２ａの左右両側から下方に折り曲げるように接続している左右側面カバー２２ｂ，２２ｃとで正面視逆Ｕ字型とし下方及び後方を開放し、且つ、側面視で上側部を後上り傾斜状で下側部を後下がり傾斜状にした箱型に構成し、ＰＴＯカバー２２の前側下部を左右横板体３６ｃ，３６ｄに例えば溶接し固着する。また、ヒッチブラケット３６には連結ヒッチ３１を後方へ突出するように取り付けている。
【００３５】
そして、ＰＴＯカバー２２を側面視で大小の複数の型式に対応するように後側部ほど大きく構成し、大型機種に対応できるようにしておき、小型及び中型機種に対応する場合には、ＰＴＯカバー２２の後側部を適宜切断除去し対応するようにする。
【００３６】
また、連結ヒッチ３１も同様に複数の型式に対応するように長く構成し、複数の型式に対応できるように複数の連結孔３１ａ，…を形成しておく。そして、大型の場合には長いそをそのまま使用し、小型及び中型機種の場合には連結ヒッチ３１の後側部を適宜切断除去し対応するようにする。
【００３７】
前記構成によると、ＰＴＯカバー２２及び連結ヒッチ３１の共用化を図りコストの低減を図ることができる。
次に、図１２について説明する。
【００３８】
ミッションケース３の後側面には上方から下方にトップリンクヒッチ４２、ＰＴＯ軸１２及びヒッチブラケット３６を配設した構成において、ヒッチブラケット３６に連結ヒッチ３１を後方へ突出するように設けている。
【００３９】
前記トップリンクヒッチ４２を後上り傾斜状に後方へ延出し、ＰＴＯカバー２２の上面カバー２２ａ及び上面カバー２２ａの左右両側から下方に折り曲げるように接続している左右側面カバー２２ｂ，２２ｃとで正面視逆Ｕ字型に構成し、上面カバー２２ａを後上り傾斜状に構成している。
【００４０】
そして、ＰＴＯカバー２２の上面カバー２２ａの後側左右中央部に左右カバーブラケット２２ｅ，２２ｅを設け、トップリンクヒッチ４２の支持孔４２ａ，４２ａとＰＴＯカバー２２のカバーブラケット２２ｅ，２２ｅの支持孔２２ｅａ，２２ｅａとにピンを挿通し、上下揺動自在に支持している。しかして、ＰＴＯ軸１２回りのメンテナンスの際には、ＰＴＯカバー２２を上方へ揺動させメンテナンス作業を容易にしている。
【００４１】
次に、図１３について説明する。
ミッションケース３の後側面に上方から下方にトップリンクヒッチ４２、ＰＴＯ軸１２及びヒッチブラケット３６を配設した構成において、ミッションケース３の後側面に取付プレート４１をボルト・ナットで固着し、取付プレート４１のＰＴＯ軸１２の左右両側部から平面視Ｌ字型の左右シール取付板４４，４４を取り付け、ＰＴＯ軸１２の凹状溝１２ａにオイルシール４５を介装し、オイルシール４５の環状ブラケット４５ａ，４５ａを左右シール取付板４４，４４により支持し、オイルシール４５のシール性の向上を図っている。
【００４２】
次に、１４について説明する。
ミッションケース３の後側面に取付プレート４１をボルト・ナットで固着し、ミッションケース３の後部にＰＴＯ軸１２を後方へ突出するように軸架し、ＰＴＯ軸１２をＰＴＯカバー２２で被覆している。そして、ＰＴＯカバー２２を上面カバー２２ａ及び上面カバー２２ａの左右両側から下方に折り曲げるように接続している左右側面カバー２２ｂ，２２ｃとで正面視逆Ｕ字型に構成し、ＰＴＯカバー２２の上面カバー２２ａ、左右側面カバー２２ｂ，２２ｃの前側部をバーリング処理をして外側屈曲部２２ｆを形成し、オペレータの指先が上面カバー２２ａ及び左右側面カバー２２ｂ，２２ｃの前端部内側に入らないようにし安全を図っている。
【００４３】
次に、図１５について説明する。
ミッションケース３の後部左右方向中央部にＰＴＯ軸１２を後方へ突出するように軸架し、ミッションケース３の左右両側部にミッションケース３の後端面よりも後方へ突出するように左右ブラケット２１，２１を設け、左右ブラケット２１，２１にＰＴＯカバー２２の前側上部を左右方向のピンで上下揺動自在に軸支している。そして、左右ブラケット２１、２１の上部にはフック２１ａを設け、フック２１ａで上方へ揺動したＰＴＯカバー２２を係止し、ＰＴＯ軸１２周辺のメンテナンスを容易にしている。
【００４４】
また、図１６のように構成してもよい。左右ブラケット２１，２１の上部に後上り傾斜状の突出部２１ｂ，２１ｂを設け、この突出部２１ｂ，２１ｂの後側部に左右方向のピン孔２１ｃ，２１ｃを構成し、突出部２１ｂ，２１ｂの前側部に係止部２１ｄ，２１ｄを構成している。左右ブラケット２１，２１の突出部２１ｂ，２１ｂのピン孔２１ｃ，２１ｃ、及び、ＰＴＯカバー２２の上部前側に形成している前後方向の長孔２２ｇ，２２ｇに左右方向のピン２７を挿通して上下揺動自在に軸支している。
【００４５】
しかして、ＰＴＯカバー２２を下方へ揺動したＰＴＯ軸１２の被覆姿勢では、長孔２２ｇ，２２ｇの前側端部にピン２７が当接してＰＴＯカバー２２を係止し、また、ＰＴＯカバー２２の後部を上方へ揺動した開放姿勢では、長孔２２ｇ，２２ｇの後側端部にピン２７が当接し、突出部２１ｂ，２１ｂの係止部２１ｄ，２１ｄに係止され、ＰＴＯカバー２２が開放姿勢で保持され、ＰＴＯ軸１２周辺のメンテナンスが容易になる。
【００４６】
なお、図１８に示すように、ＰＴＯ軸１２の上方に配設しているトップリンクヒッチ４２の後側下部に係止ピン４７を設け、上方に揺動したＰＴＯカバー２２を係止ピン４７で係止するようにしてもよい。
【００４７】
また、図１７のように、ＰＴＯ軸１２の上方に配設しているトップリンクヒッチ４２の後側下部にフック４６を設け、上方に揺動したＰＴＯカバー２２をフックン４６で係止するようにしてもよい。
【００４８】
また、図１９に示すように、左右ブラケット２１，２１の上部にＰＴＯカバー２２の前側上部を左右方向のピンで上下揺動自在に軸支し、左右ブラケット２１，２１の後側下部に磁石などの接合手段４８を設け、下方に揺動したＰＴＯカバー２２の前側部を接合手段４８で吸着係止するようにしてもよい。
【００４９】
また、図２０に示すように、左右ブラケット２１，２１の前側上部にＰＴＯカバー２２の前側上部を左右方向のピンで上下揺動自在に軸支し、トップリンクヒッチ４２の後側部下面に左右接合手段４８，４８を設け、上方へ揺動したＰＴＯカバー２２を左右接合手段４８，４８で吸着係止するようにしてもよい。
【００５０】
次に、図２１について説明する。
ミッションケース３の後側面には上方から下方にトップリンクヒッチ４２、ＰＴＯ軸１２及びヒッチブラケット３６を配設した構成において、ミッションケース３の後側面に取付プレート４１をボルト・ナットで固着し、取付プレート４１に後方へ突出するように左右ブラケット２１，２１を設け、左右ブラケット２１，２１にＰＴＯカバー２２を取り付ける。
【００５１】
そして、ＰＴＯカバー２２の上方にステップ４９を配設している。このステップ４９は、上側板体４９ａと、上側板体４９ａの前側部左右両側から下方に延出されている左右取付板４９ｂ，４９ｃとで側面視Ｌ字型に構成して強固に構成している。ミッションケース３の後側の取付プレート４１にステップ４９の左右取付板４９ｂ，４９ｃをボルト・ナットで固着し、上側板体４９ａでＰＴＯカバー２２の上方を被覆している。しかして、ステップ４９の上側板体４９ａに足を掛け機体後方から乗り降りすることができオペレータの利便性を向上させることができ、また、ＰＴＯカバー２２の耐久性を高めることができる。
【００５２】
なお、ＰＴＯカバー２２の取付部とステップ４９の左右取付板４９ｂ，４９ｃをミッションケース３の後側面、あるいは、ミッションケース３の後側面に取り付けている取付プレート４１にボルト・ナットで共締めして取り付けてもよい。
【００５３】
また、図２３に示すように、ステップ４９を上側板体４９ａと、上側板体４９ａの前側部左右両側から上方に突出する左右取付板４９ｂ，４９ｃとで側面視Ｌ字型に構成し、左右取付板４９ｂ，４９ｃを前記トップリンクヒッチ４２にボルト・ナットで取り付けるようにしてもよい。
【００５４】
次に、図２２に基づきＰＴＯカバー２２の共用化構成について説明する。
ＰＴＯカバー２２を共用化するにあたり、トラクタの型式が大型から小型まで例えば１型から１０型までの１０型式がある場合に、大きさの近いものを例えば大中小の３種類にまとめて共用化するものである。すなわち、ＰＴＯカバー２２を上面カバー２２ａと、上面カバー２２ａの左右両側から下方に折り曲げるように接続している左右側面カバー２２ｂ，２２ｃとで正面視逆Ｕ字型の下方及び後方開放状に構成している。
【００５５】
そして、大型ＰＴＯカバー２２の上下長さｌｇａ、前後長さｌｇｂ、左右長さｌｇｃに設定する。また、中型ＰＴＯカバー２２の上下長さｌｍａ、前後長さｌｍｂ、左右長さｌｍｃに設定する。また、小型ＰＴＯカバー２２の上下長さｌｓａ、前後長さｌｓｂ、左右長さｌｓｃに設定する。このようにすることにより、部品の共用化を図り部品点数を少なくし、コストの低減をすることができる。
【符号の説明】
【００５６】
３        ミッションケース
３ａ      空間部
９        リフトアーム
１２        ＰＴＯ軸
２１        ブラケット
２２        ＰＴＯカバー
２２ａ      上面カバー
２２ａａ    前側傾斜面
２２ａｂ    後側水平面
２２ｂ      左側面カバー
２２ｃ      右側面カバー
２３        閉鎖プレート
２３ａ      上面プレート
２３ａａ    前側傾斜面
２３ａｂ    後側水平面
２３ｂ      左折曲支持板
２３ｃ      右折曲支持板
２４        軸（ボルト・ナット）
【図１】
2013247904.tif 000003
【図２】
2013247904.tif 000004
【図３】
2013247904.tif 000005
【図４】
2013247904.tif 000006
【図５】
2013247904.tif 000007
【図６】
2013247904.tif 000008
【図７】
2013247904.tif 000009
【図８】
2013247904.tif 000010
【図９】
2013247904.tif 000011
【図１０】
2013247904.tif 000012
【図１１】
2013247904.tif 000013
【図１２】
2013247904.tif 000014
【図１３】
2013247904.tif 000015
【図１４】
2013247904.tif 000016
【図１５】
2013247904.tif 000017
【図１６】
2013247904.tif 000018
【図１７】
2013247904.tif 000019
【図１８】
2013247904.tif 000020
【図１９】
2013247904.tif 000021
【図２０】
2013247904.tif 000022
【図２１】
2013247904.tif 000023
【図２２】
2013247904.tif 000024
【図２３】
2013247904.tif 000025